(57)【要約】【課題】  上下間隔が狭い場所に埋め込み設置したロール紙ホルダに対してロール紙類を容易に枢支セット可能とすると共に、ロール紙の繰り出し切断を確実に実現すること。【解決手段】ロール紙ホルダ１の左右に対向復帰可能に備えたロール紙空心受け５で支持したロール紙６の外周面に前記ホルダ１後部に枢支した紙切り板７の前辺下面７Ｂを圧接し、この圧接部を経たロール紙繰り出し部Ｐを紙切り板７の前辺刃先８でカットできるロール紙ホルダを構成するに当たり、前記ホルダ１の左右各側体２にスライド溝３を対向形成してこれら各溝３に平面ほぼコ字状のスライダ４を前後にスライド可能に係入し、このスライダ４の前部に前記ロール紙空心受け５を上向き傾動可能に対向枢支し、各空心受け５で支持したロール紙６を紙切り板前辺刃先８でカット可能となした。【選択図】図１
2005211398.tif 000002
【特許請求の範囲】
【請求項１】
平面ほぼコ字状のロール紙ホルダに対をなすロール紙空心受けを上向き傾動後対向復帰可能に備え、これら各空心受けで回転可能に支持したロール紙の上部前寄り外周面に前記ホルダの後部に枢支した紙切り板の前辺下面を圧接し、この圧接部を経たロール紙繰り出し部を紙切り板の前辺刃先でカットできるロール紙ホルダにおいて、前記ホルダの左右各側体にスライド溝を対向形成してこれら各溝に平面ほぼコ字状のスライダを手指で前後にスライド可能に係入し、このスライダの前部に前記ロール紙空心受けを上向き傾動可能に対向枢支すると共に、これら各空心受けで回転可能に支持したロール紙の前記繰り出し部を紙切り板の前辺刃先でカット可能となしたスライド式ロール紙ホルダ。
【請求項２】
平面ほぼコ字状のロール紙ホルダに対をなすロール紙空心受けを上向き傾動後対向復帰可能に備え、これら空心受けで回転可能に支持したロール紙の上部前寄り外周面に前記ホルダ後部に枢支した紙切り板の前辺下面を圧接し、この圧接部を経たロール紙繰り出し部を紙切り板の前辺刃先でカットできるロール紙ホルダにおいて、前記ホルダの左右各側体にスライド溝を対向形成してこれら各溝に平面ほぼコ字状のスライダを手指で前後にスライド可能に係入してストッパで引出し制限し、このスライダの前部に前記ロール紙空心受けを上向き傾動可能に対向枢支すると共に、これら各空心受けで回転可能に支持したロール紙繰り出し部を紙切り板前辺刃先でカット可能となしたスライド式ロール紙ホルダ。
【請求項３】
平面ほぼコ字状のロール紙ホルダに対をなすロール紙空心受けを上向き傾動後対向復帰可能に備え、これら空心受けで回転可能に支持したロール紙の上部前寄り外周面に前記ホルダ後部に枢支した紙切り板の前辺下面を圧接し、この圧接部を経たロール紙繰り出し部を紙切り板の前辺刃先でカットできるロール紙ホルダにおいて、前記ホルダの左右各側体にスライド溝を前下がり傾斜で対向形成し、これら各溝に平面ほぼコ字状のスライダを手指で前後にスライド可能に係入してストッパで引出し制限し、このスライダの前部に前記ロール紙空心受けを上向き傾動可能に対向枢支して各空心受けで回転可能に支持したロール紙繰り出し部を紙切り板前辺刃先でカット可能となしたスライド式ロール紙ホルダ。
【請求項４】
前記スライダの引出し制限用ストッパを前記スライド溝とスライダとのそれぞれ前後における各対向部に設けた請求項２または請求項３に記載のスライド式ロール紙ホルダ。
【請求項５】
前記紙切り板の上向き傾斜状態を保持するロック部を紙切り板枢支部付近に設けた請求項１から請求項４までのいずれか一つ請求項に記載のスライド式ロール紙ホルダ。
【請求項６】
前記左右のロール紙空心受けをプラスチックで成形し、その対向復帰用ばねをロール紙空心受けの枢軸端に蔓巻きばね状に一体的に突設し、その端部を前記スライダに固定してなる請求項１から請求項５までに記載のスライド式ロール紙ホルダ。
【請求項７】
前記スライダをホルダ左右のスライド溝にその後部開放端から係入してなる請求項１から請求項６までに記載のスライド式ロール紙ホルダ。
【請求項８】
前記スライダの後部に形成した引出し制限用ストッパを前側浮上の撓み弾片で形成し、その弾撥力に抗しスライダを各スライド溝にその前部からスライド溝ストッパを経て係入することで、前記スライド溝の後部を密閉成形してなる請求項１から請求項６までに記載のスライド式ロール紙ホルダ。
【請求項９】
前記スライダの後退使用位置を仮固定するための保持弾片をスライド溝付近におけるホルダ側体に設けた請求項１から請求項８までに記載のスライド式ロール紙ホルダ。
【発明の詳細な説明】
【技術分野】
【０００１】
この発明は、上下の棚板間や壁面凹所などの上下間隔が狭い場所に埋め込み設置したロール紙ホルダに対してロール紙類を容易に枢支セット可能とすると共に、ロール紙繰り出し切断を確実に実現できるスライド式ロール紙ホルダに関する。
【背景技術】
【０００２】
トイレットなどの壁面に突出固定して使用するタイプの従来のロール紙ホルダとしては、例えば下記の特許文献１や特許文献２に記載のものが周知である。
これら各従来例は、平面ほぼコ字状のロール紙ホルダにおける左右の側体にロール紙空心受けを上向き傾動後対向復帰可能に枢支して備え、これら各空心受けで回転可能に支持したロール紙の上部前寄り外周面に前記ホルダ後部に枢支した紙切り板の前辺下面を圧接し、この圧接部を経たロール紙繰り出し部を紙切り板の前辺刃先でカットできるロール紙ホルダである。
また、下記の特許文献３に記載のように、平面ほぼコ字状のロール紙ホルダにおける左右の側体にロール紙空心受けを前後水平方向に傾動後対向復帰可能に枢支して備え、これら各空心受けで回転可能に支持したロール紙の上部前寄り外周面に前記ホルダ後部に枢支した紙切り板の前辺下面を圧接し、この圧接部を経たロール紙繰り出し部を紙切り板の前辺刃先でカットできるロール紙ホルダも周知である。
【特許文献１】特開平８−３２２７５９号公報
【特許文献２】特開平１０−１１７９６６号公報
【特許文献３】特開平９−２１５６２８号公報
【発明の開示】
【発明が解決しようとする課題】
【０００３】
前記各従来例のうち、特許文献１と特許文献２に記載のものは、それぞれトイレなどの壁面に露出突設して使用するタイプのロール紙ホルダであり、そのロール紙空心受けにロール紙をその空心で枢支するには、左右のロール紙空心受け間にその下側空所からロール紙を差し込みつつ、これら各空心受けをその復帰弾力に抗して上向きに傾動させ、ロール紙空心や芯管側縁に左右のロール紙空心受けが対向した時点で、これら各空心受けをその復帰弾力でロール紙空心や芯管内に対向復帰させ係入することで、ロール紙を回転可能に枢支セットするものだから、これら従来のロール紙ホルダを上下の棚板間や壁面凹所などに埋め込み設置して使用する場合には、ホルダの下側と棚板や壁面凹所の上面との間隔を大きく空けてロール紙を差し込む空所を設ける必要があり、棚板や壁面凹所に大きな上下間隔が必要となるので、これら各従来例によるロール紙ホルダは、上下間隔が狭い設置場所には設置できず、スペース的に著しく不利であるし、ロール紙空心受けにロール紙を枢支セットし辛くかつ、見栄えも悪いという本質的、かつ大きな問題点が有る。
【０００４】
また、前記特許文献３のロール紙ホルダにおけるロール紙空心受けにロール紙をその空心で枢支するには、左右のロール紙空心受け間にその前側からロール紙を差し込みつつ、これら各空心受けをその復帰弾力に抗して奥向き傾動させ、ロール紙空心や芯管側縁に左右のロール紙空心受けが対向した時点で、これら各空心受けをその復帰弾力でロール紙空心や芯管内に前向きに対向復帰させ係入することで、ロール紙を回転可能に枢支セットするものだから、このロール紙ホルダは、上下の棚板間や壁面凹所などの上下間隔が狭いホルダ設置場所に埋め込み設置しても、ロール紙空心受けにロール紙を手前から枢支セットして使用できるが、この従来例における各ロール紙空心受けは、ホルダ左右の側体に前後方向に傾動後対向復帰可能に対向枢支したものだから、ロール紙の前方繰り出し時やロール紙カット時に上記ロール紙空心受けがロール紙と共に前方へ「フラフラ」と動き易く、不安定でロール紙を繰り出しカットし辛く、使用勝手が誠に悪いという本質的かつ、大きな問題点が有る。
【０００５】
この発明は、上向き傾動後対向復帰可能なロール紙空心受けをロール紙ホルダに対して前後スライド可能に設けることで、上下の棚板間や壁面凹所などの上下間隔が狭い場所に埋め込み設置したロール紙ホルダに対してロール紙類を容易に枢支セット可能とすると共に、ロール紙繰り出しとその切断とを安定確実に実現することを目的とする。
【課題を解決するための手段】
【０００６】
上記本発明の目的は、平面ほぼコ字状のロール紙ホルダに対をなすロール紙空心受けを上向き傾動後対向復帰可能に備え、これら空心受けで回転可能に支持したロール紙の上部前寄り外周面に前記ホルダの後部に枢支した紙切り板の前辺下面を圧接し、この圧接部を経たロール紙繰り出し部を紙切り板の前辺刃先でカットできるロール紙ホルダを構成するに当たり、前記ホルダの左右各側体にスライド溝を対向形成してこれら各溝に平面ほぼコ字状のスライダを手指で前後にスライド可能に係入し、このスライダの前部に前記ロール紙空心受けを上向き傾動可能に対向枢支すると共に、これら各空心受けで回転可能に支持したロール紙繰り出し部を紙切り板前辺刃先でカット可能となしたことで達成できた。
【発明の効果】
【０００７】
本発明は、以上のような手段を採用したので、以下に記載の効果を奏する。
この発明における請求項１の発明によれば、スライダをスライド溝に対する係合摩擦に抗し、またはスライダ後退使用位置の保持弾片の弾力に抗して手指で前方へ引出した後、左右のロール紙空心受け間にその下側空所からロール紙を差し込みつつ、これら各空心受けをその対向復帰弾力に抗して上向きに傾動させ、ロール紙空心側縁に左右のロール紙空心受けの先端が対向した時点で、これら各空心受けをその復帰弾力でロール紙空心内に対向復帰係入させることで、ロール紙を左右のロール紙空心受けに回転可能に枢支セットでき、その後スライダをセット済のロール紙と共に上記スライド溝に対する係合摩擦に抗し、またはスライダ後退使用位置の保持弾片の弾力に抗して手指で後退させこの位置を保持することで、ロール紙の使用待機状態にできるので、本発明によるロール紙ホルダは、上下の棚板間や壁面凹所などの上下間隔が狭いホルダ設置場所に埋め込み設置してもロール紙の枢支セットが容易にでき、スペース的に著しく有利になったという優れた効果が有るほかに、本発明によるロール紙空心受けは、ホルダやスライダに対して前後に動かないので、ロール紙の前方繰り出し時やそのカット時に上記空心受けは妄りに動かず、安定で使用勝手が良いという優れた効果が有る。
【０００８】
本発明における請求項２の発明によれば、前記諸効果に加え、前記スライド溝に係入したスライダの引出し寸法をストッパで制限できるから、ロール紙ホルダからスライダが妄りに抜去しないので、より一層安全かつ、無造作に使用できるという効果を付加でき、また、本発明における請求項３の発明のように、前記ホルダの左右各側体にスライド溝を前下がり傾斜で対向形成し、引出し制限可能にすれば、スライダは下向きに無造作に引出せるので、前下がり引出し後のスライダの上部に大きな空所ができ、ロール紙を左右の空心受けに枢支セットし易くなったという効果を付加できた。
【０００９】
本発明における請求項４の発明では、前記スライダの引出し制限用ストッパを前記スライド溝とスライダとのそれぞれ前後における各対向部に設けたので、ストッパ自体が目立たずスマートに構成できるという効果を付加でき、また、本発明における請求項５の発明のように、前記紙切り板の上向き傾斜状態を保持するロック部を紙切り板枢支部付近に設ければ、ロール紙の補充や芯管の取り除き時に紙切り板が邪魔にならず、より一層便利に使用できると共に、ロック部自体が目立たずスマートに構成できるという効果を付加でき、さらに、本発明における請求項６の発明では、前記左右のロール紙空心受けをプラスチックで成形し、その対向復帰用ばねをロール紙空心受けの枢軸端に蔓巻きばね状に一体的に突設し、その端部を前記スライダに固定することで、上記ロール紙空心受けを簡素な構成で上向き傾動後対向復帰可能に枢支できた。
【００１０】
また、本発明における請求項７の発明のように、前記スライダをホルダ左右のスライド溝にその後部開放端から係入後、ロール紙ホルダの後部を直立面に対接設置することで、スライダの後退抜去を防止できるから、前記スライダの後向き抜去ストッパを省略でき、部品点数を削減できるという効果を付加でき、さらに、本発明における請求項８の発明のように、前記スライダの後部に形成した引出し制限用ストッパを前側浮上の撓み弾片で形成し、その弾撥力に抗しスライダを各スライド溝にその前部からストッパを経て係入することで、前記スライド溝の後部を閉塞形したので、スライダの後退抜去防止用のストッパを別個に設ける必要なく、部品点数を削減できるという効果を付加でき、また、本発明における請求項９の発明のように、前記スライダの後退使用位置を仮固定するための保持弾片をスライド溝付近におけるホルダ側体に設けることで、スライダをスライド溝に対して軽く動かせる程度に係入しても、ロール紙の繰り出し時やそのカット時にスライダの無用な妄動を阻止でき、軽快に使用できるという効果を付加できた。
【発明を実施するための最良の形態】
【００１１】
本発明の実施の形態のうち、先ず、本発明の基本的な形態例を説明する。
本発明の基本的な実施形態は、図１・図２のような平面ほぼコ字状にプラスチックや金属を成形して作ったロール紙ホルダ１における左右の各側体２にスライド溝３を上記各図のように対向形成すると共に、これら各溝３にその後部開放端３Ａから図２のようにプラスチックや金属を平面ほぼコ字状に成形して作ったスライダ４を所定の係合摩擦を保ち図１・図３のようにスライド可能に係入すると共に、スライド溝３の前辺に図４のように形成した引出し制限用ストッパＳに上記スライダ４の後部ストッパＳ（図２参照）を図４のように当接させることで、スライダ４の引出し寸法を制限し、抜去しないようにする。
ただし、スライド溝３に対するスライダ４の上記係合摩擦は、手指で動かせる程度とし、ロール紙の繰り出しとその切断時に前後方向に妄りに動かない程度に設定する。
【００１２】
次いで、上記スライダ４の前部にそれぞれ図２のように対向形成した凹部対向辺４Ａに形成した各枢支孔４Ｂにそれぞれプラスチックなどで成形した図２のような左右のロール紙空心受け５をそれぞれ前後の枢軸５Ａで上向き傾動可能に図１のように対向枢支すると共に、上記各枢軸５Ａの先端に図２のように突設した蔓巻き状復帰ばね５Ｂの先端をスライダ４の上記枢支孔４Ｂ付近に図５のように固定することで、これら各復帰ばね５Ｂの弾力に抗し左右のロール紙空心受け５を外力で図６のように上向き傾動させた後、この外力の解除により各空心受け５を上記各復帰ばね５Ｂの弾力で図１・図３のように互いに対向復帰可能にしておく。
【００１３】
そして、図１・図３のように引出したスライダ４に対向突設したロール紙空心受け５には、トイレットペーパなどのロール紙６または、ロール巻アルミホイールやフィルム・シート類（以下単にロール紙と略記する）をその芯管６Ａで、図１の鎖線および図４のように回転可能に枢支セットするのであるが、このセット例としては、各ロール紙空心受け５の自由端にロール紙６の側縁を図６のように宛がい、各空心受け５を前記復帰ばね５Ｂの復帰弾力に抗して上記図６のように上向きに傾動させつつ上昇させると、ロール紙芯管（または空心）６Ａの側縁に左右のロール紙空心受け５の先端が対向した時点で、これら各空心受け５をその復帰ばね５Ｂの弾力でロール紙芯管６Ａ内に図１・図３のように対向復帰して係入させることで、ロール紙６を左右のロール紙空心受け５に上記各図のように回転可能に枢支セットしておく。
【００１４】
さらに、前記ホルダ側体２の後部左右に図２のような金属やプラスチック製の紙切り板７をその後部枢支部７Ａ（突起や凹所とか孔）で図１・図６のように起伏回動可能に枢支し、その前辺下面７Ｂを前記枢支セット済ロール紙６の上部前寄り外周面に上記各図のように圧接させた後、スライダ４をロール紙６と共に上記スライド溝３に対する係合摩擦に抗して図３・図７のように奥方向に押し動かすことで、各図のようなロール紙の使用待機状態にでき、紙切り板の前辺下面７Ｂを経て前方へ繰り出したロール紙６の繰り出し部Ｐを前記紙切り板７の前辺に埋設した櫛歯状刃先などの紙切り板前辺刃先８でカットできる本発明によるスライド式ロール紙ホルダを構成できた。
なお、図４・図６および図７における符号９で示す部分は、上下の棚板空所や壁面凹所などの上下間隔が狭いロール紙ホルダ設置場所であり、その奥の直立面９Ａにロール紙ホルダ１の後面板１Ａを図４のように止めねじＮで取着して使用する。
【００１５】
本発明の構成は以上のようなもので、以下その使用動作例につき説明する。
ロール紙ホルダ１における左右のロール紙空心受け５にロール紙６をその芯管６Ａで図１のように枢支するには、先ずスライダ４を手指で前記スライド溝３に対する係合摩擦に抗して図１・図４のように前記ストッパＳまで前方へ引出した後、左右のロール紙空心受け５間にその下側空所からロール紙６を図６のように差し込みつつ、これら各空心受け５をその復帰ばね５Ｂの弾力に抗して上記図６のように上向きに傾動させ、ロール紙芯管６Ａの側縁に左右のロール紙空心受け５の先端が対向した時点で、これら各空心受け５をその復帰ばね５Ｂの弾力でロール紙芯管６Ａ内に図１・図５のように対向復帰係入させることで、ロール紙６を左右のロール紙空心受け５に回転可能に枢支セットでき、その後紙切り板７を図３・図７のように閉じると、ロール紙の上部前寄り外周面に前記紙切り板７の前辺下面が自己重力やばねの弾力で圧接した状態となる。
【００１６】
次いで、スライダ４をセット済のロール紙６と共に上記スライド溝３に対する係合摩擦に抗して図３のように奥方向に押し動かせば、図７のようなロール紙の使用待機状態にできるので、紙切り板７の前辺下面７Ｂを経て前方へ繰り出したロール紙６の繰り出し部Ｐを同図の鎖線のように紙切り板前辺刃先８に沿わせて図７のように上向き斜めに引っ張り上げることで、ロール紙６をそのカット部分Ｑで上記紙切り板前辺刃先８によりカットして使用できる。
【００１７】
したがって、本発明によるスライド式ロール紙ホルダは、図６・図７のような上下の棚板間や壁面凹所などの上下間隔が狭いホルダ設置場所９に固定設置しても、図６のようにロール紙を枢支セットしたり、使用済芯管を容易に取り出せ、上記各図のようにスペース的に著しく有利になったし、ロール紙空心受け５は、スライダ４に対し前後には妄りに動かないので、ロール紙の前方繰り出し時やロール紙カット時に上記ロール紙空心受け５は妄動せず、安定で使用勝手が良い。
【００１８】
このようにして、ロール紙６を使い終えたときに新しいロール紙６をホルダ１にセットするには、前記スライダ４をスライド溝３に対する係合摩擦に抗して図１・図４のように前記ストッパＳまで前方へ引出した後、前記紙切り板７をその枢支部を支点とし、上記各図のように上向き回動させてロール紙ホルダ１をオープン状態とし、使用済のロール紙芯管６Ａを前記ロール紙空心受け５から取り外し、新しいロール紙６を前記のようにロール紙空心受け５にその下側から枢支セットすることができ、その後スライダ４を枢支セット済のロール紙６と共に上記スライド溝３に対する係合摩擦に抗して図４のように奥方向に押し動かして定位した後、紙切り板７をロール紙の上部に被せれば、上記各図のようなロール紙の使用待機状態にできる。
【実施例】
【００１９】
スライダ４は、前述したようにスライド溝３に対する係合摩擦に抗して引出したり、後退させる例について説明したが、上記スライダ４は、その後退使用位置をロック弾片（周知のものでよいから図示せず）などで妄りに動かないように係止することで、スライド溝３に対して軽く動かせる程度に係入して使用できる。
また、前記ホルダの左右各側体２にスライド溝３を図８のように前下がり傾斜で対向形成し、スライダ４を引出し制限可能にすることで、スライダ４は無造作に引出せるので、前下がり引出し後のスライダ４の上部に大きな空所ができ、ロール紙６を左右の空心受け５に一層枢支セットし易くなったし、さらに、前述したようにスライダ４の引出し制限用ストッパＳを前記スライド溝３とスライダ４とのそれぞれ前後における各対向部に設けることで、ストッパＳ自体が目立たずスマートに構成でき、また前記紙切り板７の上向き傾斜状態を保持するロック部（凹所や孔とか突起）を紙切り板７の枢支部付近に設ければ、ロック部自体が目立たずスマートに構成できる。
【００２０】
前記スライダ４を左右のスライド溝３にその後部開放端３Ａから前述したように係入後、図４・図６および図７における上下の棚板間や壁面凹所などの上下間隔が狭いホルダ設置場所９の奥の直立面９Ａにロール紙ホルダ１の後面板１Ａを図４のように止めねじＮで取着して使用することで、スライダ４の後退抜去を防止できると共に、前記スライダ４の引出し制限用ストッパＳを形成し易くでき、また、前記スライダ４の後部に形成した引出し制限用ストッパＳを前側浮上の撓み弾片で形成し、その弾撥力に抗しスライダ４を各スライド溝３にその前部からストッパＳを経て係入することで、前記スライド溝３の後部を閉塞形成できるので、スライダ４の後退抜去防止用のストッパＳを別個に設ける必要なく、部品点数を削減できる。
【産業上の利用可能性】
【００２１】
前記紙切り板７は、その自重やばね部材でロール紙の前側上面に圧接するようにしてもよいが、紙切り板７の枢支部付近をばね（周知のものでよいから図示せず）などの紙切り板水平保持部材でロール紙ホルダ１の後部に連絡することで、上記紙切り板７を水平を境として上下に弾力的に起伏するようにすると、ロール紙芯管６Ａの前記取り除きや、新しいロール紙のセットに当たり、紙切り板７が邪魔にならず便利となったし、本発明によるスライド式ロール紙ホルダ全体を縦向きに上下の棚板間や壁面凹所などの上下間隔が狭い場所に固定設置しても、ロール紙を枢支セットしたり、使用済ロール紙の芯管を容易に取出せる縦向き設置タイプのスライド式ロール紙ホルダとしても利用できる。
【図面の簡単な説明】
【００２２】
【図１】本発明の実施形態例を示す斜視図
【図２】図１に示すものの分解斜視図
【図３】図１に示すものと状態を異にした斜視図
【図４】図１に示すものの使用例を示す縦断側面面
【図５】本発明要部の横断平面面
【図６】本発明によるロール紙のセット途中を示す斜視図
【図７】図４に示すものの使用状態の例を示す縦断側面面
【図８】本発明の他の実施形態例を示す斜視図
【符号の説明】
【００２３】
１…ロール紙ホルダ  １Ａ…ホルダ後面板
２…ホルダ側体
３…スライド溝  ３Ａ…後部開放端
４…スライダ  ４Ａ…凹部対向辺  ４Ｂ…枢支孔
５…ロール紙空心受け  ５Ａ…枢軸  ５Ｂ…復帰ばね
６…ロール紙  ６Ａ…ロール紙芯管
７…紙切り板  ７Ａ…枢支部  ７Ｂ…前辺下面
８…紙切り板前辺刃先
Ｐ…ロール紙繰り出し部
Ｑ…ロール紙カット部
【図１】
2005211398.tif 000003
【図２】
2005211398.tif 000004
【図３】
2005211398.tif 000005
【図４】
2005211398.tif 000006
【図５】
2005211398.tif 000007
【図６】
2005211398.tif 000008
【図７】
2005211398.tif 000009
【図８】
2005211398.tif 000010